(57)【要約】【課題】容易に設置して確実にボルトやナットの緩みを防止できるボルト緩み防止用治具を提供する。【解決手段】固定対象１０に締結した状態のボルト７とナット８の緩みを防止するための治具Ａであって、ボルト７の頭部７ａ又はナット８を貫通させる貫通孔を備えた係止部２と、貫通孔にボルト７の頭部７ａ又はナット８を貫通させた状態で治具Ａを固定するための取付部４とを備え、且つ、貫通孔の周縁に、貫通孔に貫通させるとともにボルト７の頭部７ａ又はナット８を係止する係止片を備えて構成する。【選択図】図１
2017015117.tif 000002
【特許請求の範囲】
【請求項１】
固定対象に締結した状態のボルトとナットの緩みを防止するための治具であって、
前記ボルトの頭部又は前記ナットを貫通させる貫通孔を備えた係止部と、前記貫通孔に前記ボルトの頭部又は前記ナットを貫通させた状態で治具を固定するための取付部とを備え、
且つ、前記貫通孔の周縁に、前記貫通孔に貫通させるとともに前記ボルトの頭部又は前記ナットを係止する係止片を備えて構成されていることを特徴とするボルト緩み防止用治具。
【発明の詳細な説明】
【技術分野】
【０００１】
本発明は、ボルトやナットの緩みを防止するためのボルト緩み防止用治具に関する。
【背景技術】
【０００２】
例えば野縁や野縁受けなどの天井下地を吊りボルトで吊り下げ支持してなる吊り天井など、振動や揺れを受ける構造体で用いるボルトとナットは、その締結状態にゆるみが生じやすい。
【０００３】
このため、例えば、表面や裏面に複数の突起を備えたスプリングワッシャを用いたり（例えば、特許文献１参照）、ボルトの取付位置に、ボルトの頭部と対応する凹部を備えた座金を固定し、座金の凹部中央の挿通孔にボルトの軸部を挿通して固定した後、凹部とボルトの頭部周囲との隙間に樹脂パテなどの回り止め部材を充填する（例えば、特許文献２参照）などの手法がボルトの緩み防止対策として提案、実用化されている。
【先行技術文献】
【特許文献】
【０００４】
【特許文献１】特開２００２−３１１２０号公報
【特許文献２】特開２００４−３２４７３４号公報
【発明の概要】
【発明が解決しようとする課題】
【０００５】
しかしながら、複数の突起を備えたスプリングワッシャを用いる緩み防止対策においては、複数の突起の食い込みがあまいとボルトやナットが緩みやすく、少しでも緩むと食い込み力が小さくなってさらに緩みが進行してしまう。
【０００６】
一方、凹部を備えた座金を設け、凹部に収容したボルトの頭部（やナット）を樹脂パテなどの回り止め部材で固める緩み防止対策においては、回り止め部材の充填作業に手間がかかる上、硬化した回り止め部材によって再度ボルトを外すことができなくなるため、その適用に大きな制限が生じてしまう。
【０００７】
本発明は、上記事情に鑑み、容易に設置して確実にボルトやナットの緩みを防止できるボルト緩み防止用治具を提供することを目的とする。
【課題を解決するための手段】
【０００８】
上記の目的を達するために、この発明は以下の手段を提供している。
【０００９】
本発明のボルト緩み防止用治具は、固定対象に締結した状態のボルトとナットの緩みを防止するための治具であって、前記ボルトの頭部又は前記ナットを貫通させる貫通孔を備えた係止部と、前記貫通孔に前記ボルトの頭部又は前記ナットを貫通させた状態で治具を固定するための取付部とを備え、且つ、前記貫通孔の周縁に、前記貫通孔に貫通させるとともに前記ボルトの頭部又は前記ナットを係止する係止片を備えて構成されていることを特徴とする。
【発明の効果】
【００１０】
本発明のボルト緩み防止用治具によれば、係止片を貫通孔の周縁に備えているため、この貫通孔にナットまたはボルトの頭部を貫通させつつ固定するだけで、容易に且つ確実にボルトの緩みを防止することができる。
【図面の簡単な説明】
【００１１】
【図１】本発明の一実施形態に係るボルト緩み防止用治具によって締結状態のボルト・ナットの緩みを防止した状態を示す図である。
【図２】本発明の一実施形態に係るボルト緩み防止用治具を示す平面図である。
【図３】本発明の一実施形態に係るボルトの頭部又はナットを示す平面図である。
【発明を実施するための形態】
【００１２】
以下、図１から図３を参照し、本発明の一実施形態に係るボルト緩み防止用治具について説明する。
【００１３】
ここで、本発明のボルト緩み防止用治具は、例えば野縁や野縁受けなどの天井下地を吊りボルトで吊り下げ支持してなる吊り天井など、振動や揺れを受ける構造体で用いるボルトとナットの緩み防止対策に用いて好適な部材である。
【００１４】
そして、本実施形態のボルト緩み防止用治具Ａは、例えば、金属製の矩形平板を折り曲げ加工して形成したものであり、図１及び図２に示すように、所定の間隔をあけて平行配置した一対の側部１及び一対の側部１の一端部同士を連結する係止部２からなる略コ字状のボルト／ナット押え部３と、ボルト／ナット押え部３の各側部１の他端部から各側部１に直交して幅方向外側に延設された一対の取付部４とを備え、略Ω字状に形成されている。
【００１５】
また、ボルト／ナット押え部３の係止部２には、その中央に一面から他面に貫通する貫通孔５が設けられるとともに、貫通孔５が周縁から内側に突出する複数の係止片６を備えている。
【００１６】
さらに、複数の係止片６は、図２及び図３（図１参照）に示すように、貫通孔５の中心軸Ｏ１を中心とし、複数の係止片６の先端を結ぶ仮想円Ｓ１の直径ｄ１が、ナット８（又はボルト７の頭部７ａ）の中心軸Ｏ２を中心とし、複数の辺に接する仮想円Ｓ２の直径ｄ２と同径あるいは僅かに大径（略同径）となるように形成されている。
【００１７】
且つ、複数の係止片６は、貫通孔５の中心軸Ｏ１を中心とし、複数の係止片６の基端を結ぶ仮想円Ｓ３の直径ｄ３が、ナット８（又はボルト７の頭部７ａ）の中心軸Ｏ２を中心とし、複数の角部を結ぶ仮想円Ｓ４の直径ｄ４よりも大径となるように形成されている。
【００１８】
また、本実施形態では、係止片６が先端を尖部とした平面視三角形状で形成され、これら複数の係止片６を貫通孔５の中心軸Ｏ１を中心とし、周方向に連続的に且つ全周にわたって並設して係止部２が形成されている。これにより、係止部２の貫通孔５は、その全周部分がギザギザの略円形状で形成されている。
【００１９】
一方、本実施形態の取付部４は、一面から他面に貫通するビス９等を打ち込むための挿通孔４ａを備えて形成されている。
【００２０】
上記構成からなる本実施形態のボルト緩み防止用治具Ａは、固定対象１０に締結した状態のボルト７とナット８に対し、係止部２の貫通孔５にナット８（又はボルト７の頭部７ａ）を貫通させ、この状態で各取付部４をビス９などで固定対象１０に固定して設置される。なお、取付部４を接着剤など、他の固定手段を用いて取り付けるようにしてもよい。
【００２１】
そして、このとき、複数の係止片６が、先端を結ぶ仮想円Ｓ１の直径ｄ１をナット８（又はボルト７の頭部７ａ）の複数の辺に接する仮想円Ｓ２の直径ｄ２と同径あるいは僅かに大径（略同径）にして形成され、且つ、複数の係止片６の基端を結ぶ仮想円Ｓ３の直径ｄ３をナット８（又はボルト７の頭部７ａ）の複数の角部を結ぶ仮想円Ｓ４の直径ｄ４よりも大径にして形成されている。
【００２２】
このため、貫通孔５に貫通させると、ナット８が隣り合う係止片６の間に角部を配した状態となる。
【００２３】
これにより、貫通孔５にナット８を貫通させつつ取付部４を固定してボルト緩み防止用治具Ａを取り付けると、係止片６に角部や辺が係止されてナット８の回動が規制される。よって、ナット８（ボルト７）の緩みが確実に防止される。
【００２４】
したがって、本実施形態のボルト緩み防止用治具Ａにおいては、複数の係止片６を貫通孔５の周縁に備え、この貫通孔５にナット８を貫通させつつ固定するだけで、容易に且つ確実にナット８、ボルト７の緩みを防止することができる。
【００２５】
また、本実施形態では、貫通孔５の全周にわたって複数の係止片６が連続的に並設されているため、ナット８に対する相対位置を特に気にすることなく、貫通孔５にナット８を貫通させれば、いずれかの係止片６でナット８を係止させ、ナット８、ボルト７の緩みを防止することができる。すなわち、さらに容易にナット８、ボルト７の緩みを防止することができる。
【００２６】
以上、本発明に係るボルト緩み防止用治具の一実施形態について説明したが、本発明は上記の一実施形態に限定されるものではなく、その趣旨を逸脱しない範囲で適宜変更可能である。
【００２７】
例えば、本実施形態では、貫通孔５にナット８を貫通させてボルト緩み防止用治具Ａを取り付け、ナット８の回転を規制することでボルト７の緩みを防止するように説明を行ったが、勿論、ボルト７の頭部７ａを貫通孔５に貫通させてボルト緩み防止用治具Ａを取り付けたり、ボルト７の頭部７ａ側とナット８側にそれぞれボルト緩み防止用治具Ａを取り付けて、ボルト７の緩みを防止するようにしてもよい。
【００２８】
また、本実施形態では、複数の係止片６が貫通孔５の周縁の全周にわたって連続的に並設されているものとした。これに対し、ナット８やボルト７の頭部７ａの一部の角部、辺を係止片６に係止させればボルト７の緩みを防止できるため、貫通孔５の周縁の局所にのみ係止片６を設けて構成してもよい。
【符号の説明】
【００２９】
１    側部
２    係止部
３    ボルト／ナット押え部
４    取付部
４ａ  挿通孔
５    貫通孔
６    係止片
７    ボルト
７ａ  頭部
８    ナット
９    ビス
１０  固定対象
Ａ    ボルト緩み防止用治具
【図１】
2017015117.tif 000003
【図２】
2017015117.tif 000004
【図３】
2017015117.tif 000005